(57)【要約】【課題】容易に透光性を有する材質からなるキートップの上面中央を遮蔽できてその周囲をリング状に照光でき、しかも遮蔽した部分の装飾も容易に所望の装飾とすることができる押圧スイッチ用キートップの照光機構を提供する。【解決手段】押圧スイッチ２１上に押圧スイッチ２１を押圧する押圧板６０を設置する。押圧板６０上に発光素子７７を取り付ける。発光素子７７の上部を覆う透光性を有するキートップ本体１００を取り付ける。キートップ本体１００の上面中央に遮蔽部材１２０を取り付ける。これによって発光素子７７から発射される光が遮蔽部材１２０の周囲のキートップ本体部分１００を照光する。【選択図】図１
2007141503.tif 000002
【特許請求の範囲】
【請求項１】
押圧スイッチ上にこの押圧スイッチを押圧する押圧板を設置すると共に、押圧板上に発光素子を取り付け、さらに発光素子の上部を覆う透光性を有するキートップ本体を取り付け、キートップ本体の上面に遮蔽部材を取り付けることで前記発光素子から発射される光によって遮蔽部材に覆われていないキートップ本体部分を照光することを特徴とする押圧スイッチ用キートップの照光機構。
【請求項２】
前記遮蔽部材のキートップ本体への取付構造は、キートップ本体に設けた上下に貫通する開口部に前記遮蔽部材に設けた係止部を挿入して取り付ける取付構造であることを特徴とする請求項１に記載の押圧スイッチ用キートップの照光機構。
【請求項３】
前記遮蔽部材の表面には、装飾用の蒸着膜が形成されていることを特徴とする請求項１又は２に記載の押圧スイッチ用キートップの照光機構。
【請求項４】
前記押圧板上の前記発光素子を囲む位置に、キートップ内に侵入した静電気をアースするアース板を具備するアース機構を設置したことを特徴とする請求項１又は２又は３に記載の押圧スイッチ用キートップの照光機構。
【請求項５】
前記アース機構は、前記アース板と、前記押圧板上の前記発光素子を囲む位置に設置されその表面にアースパターンを設けたアース基板とを具備し、前記アース板の周囲の部分をアース基板のアースパターン上に当接して当接したアース板とアース基板を前記キートップ本体と押圧板との間に挟持する構造であることを特徴とする請求項４に記載の押圧スイッチ用キートップの照光機構。
【請求項６】
前記キートップ本体を挿通する開口を有する操作つまみを設置するとともに、操作つまみを操作することで電機的出力を変化する電気的機能部を設けることで前記押圧スイッチの周囲に別の電子部品を設置することを特徴とする請求項１又は２又は３又は４又は５に記載の押圧スイッチ用キートップの照光機構。
【発明の詳細な説明】
【技術分野】
【０００１】
本発明は、押圧スイッチを押圧操作するキートップを効果的に照光するのに用いて好適な押圧スイッチ用キートップの照光機構に関するものである。
【背景技術】
【０００２】
従来、押圧スイッチを押圧操作するキートップを効果的に照光する方法として、キートップを透光性の材料で構成すると同時にキートップの内部に設置した発光素子を発光することでキートップをその内部から照光する方法が用いられてきた（例えば特許文献１参照）。
【０００３】
一方キートップの照光による装飾をさらに効果的な装飾とするため、キートップ上面の外周近傍部分だけをリング状に照光することが求められていた。キートップの上面の外周部分だけをリング状に照光するには、例えばキートップの上面中央部分に不透光性の塗料を塗布してなる遮蔽部を設け、この遮蔽部によってキートップの周囲のみを照光する方法が一般的である。そして近年、キートップのさらなる効果的な装飾を図ることを目的として、前記キートップ中央部分の遮蔽部として塗装や印刷の代わりにスパッタ等による蒸着膜を形成する場合がある。蒸着膜からなる遮蔽部を用いると、高級感のある金属色が得られる。
【０００４】
しかしながらスパッタによる蒸着膜は、ＰＭＭＡ樹脂のような透明なキートップの材質によっては材質上の相性からその形成がうまく行えない場合があった。またスパッタによる蒸着以外（例えば印刷等）の方法による遮蔽部であっても、同様に透明なキートップの材質によっては材質上の相性からその形成がうまく行えない場合があった。
【特許文献１】実開平６−６２４３８号公報
【発明の開示】
【発明が解決しようとする課題】
【０００５】
本発明は上述の点に鑑みてなされたものでありその目的は、容易に透光性を有する材質からなるキートップの上面中央を遮蔽できてその周囲をリング状に照光でき、しかも遮蔽した部分の装飾も容易に所望の装飾とすることができる押圧スイッチ用キートップの照光機構を提供することにある。
【課題を解決するための手段】
【０００６】
本願請求項１に記載の発明は、押圧スイッチ上にこの押圧スイッチを押圧する押圧板を設置すると共に、押圧板上に発光素子を取り付け、さらに発光素子の上部を覆う透光性を有するキートップ本体を取り付け、キートップ本体の上面に遮蔽部材を取り付けることで前記発光素子から発射される光によって遮蔽部材に覆われていないキートップ本体部分を照光することを特徴とする押圧スイッチ用キートップの照光機構にある。
【０００７】
本願請求項２に記載の発明は、前記遮蔽部材のキートップ本体への取付構造は、キートップ本体に設けた上下に貫通する開口部に前記遮蔽部材に設けた係止部を挿入して取り付ける取付構造であることを特徴とする請求項１に記載の押圧スイッチ用キートップの照光機構にある。
【０００８】
本願請求項３に記載の発明は、前記遮蔽部材の表面には、装飾用の蒸着膜が形成されていることを特徴とする請求項１又は２に記載の押圧スイッチ用キートップの照光機構にある。
【０００９】
本願請求項４に記載の発明は、前記押圧板上の前記発光素子を囲む位置に、キートップ内に侵入した静電気をアースするアース板を具備するアース機構を設置したことを特徴とする請求項１又は２又は３に記載の押圧スイッチ用キートップの照光機構にある。
【００１０】
本願請求項５に記載の発明は、前記アース機構は、前記アース板と、前記押圧板上の前記発光素子を囲む位置に設置されその表面にアースパターンを設けたアース基板とを具備し、前記アース板の周囲の部分をアース基板のアースパターン上に当接して当接したアース板とアース基板を前記キートップ本体と押圧板との間に挟持する構造であることを特徴とする請求項４に記載の押圧スイッチ用キートップの照光機構にある。
【００１１】
本願請求項６に記載の発明は、前記キートップ本体を挿通する開口を有する操作つまみを設置するとともに、操作つまみを操作することで電機的出力を変化する電気的機能部を設けることで前記押圧スイッチの周囲に別の電子部品を設置することを特徴とする請求項１又は２又は３又は４又は５に記載の押圧スイッチ用キートップの照光機構にある。
【発明の効果】
【００１２】
請求項１に記載の発明によれば、透光性を有するキートップ本体の上面に遮蔽部材を取り付けたので、容易に透光性を有する材質からなるキートップ本体の上面を遮蔽できて遮蔽部材で覆われていない部分を照光できる。また遮蔽部材は透光性を有するキートップ本体とは別部材なので、遮蔽部材の材質としてこれを装飾するのに好適な材質を自由に選べ、これによって遮蔽した部分の装飾も容易に所望の装飾とすることができる。特に請求項３に記載の発明のように、遮蔽部材への装飾として好適な蒸着膜を容易に用いることができる。
【００１３】
請求項２に記載の発明によれば、遮蔽部材のキートップ本体への取り付けが確実に行える。
【００１４】
請求項４に記載の発明によれば、発光素子及び発光素子に接続している電気回路への静電気の侵入を防止できる。
【００１５】
請求項５に記載の発明によれば、アース機構を簡単な構造で容易に構成できる。
【００１６】
請求項６に記載の発明によれば、操作つまみの開口内に露出するキートップ本体の上面の周囲の部分のみを容易にリング状に照光できる。
【発明を実施するための最良の形態】
【００１７】
以下、本発明の実施形態を図面に基づいて詳細に説明する。
図１は本発明の１実施形態にかかる押圧スイッチ用キートップの照光機構を用いて構成した照光型押圧式電子部品付き揺動式電子部品１の概略断面図、図２，図３，図４はその分解斜視図（これらの図面全体で１つの分解斜視図）である。これらの図に示すように照光型押圧式電子部品付き揺動式電子部品１は、取付部材（以下「取付板」という）１０の上に、スイッチ回路基板２０と第１アース基板４０とを載置し、その上部中央に照光機構付きの押圧スイッチ用キートップ５０を設置し、押圧スイッチ用キートップ５０の周囲を囲むように固定部材１５０を設置し、固定部材１５０上に連結部材２１０を介して操作つまみ（以下「揺動つまみ」という）１９０を取り付け、さらにその周囲にケース２３０を設置して構成されている。以下各構成部品について説明する。
【００１８】
取付板１０は金属板や合成樹脂板等からなる硬質板であり、その所定位置に４つの貫通する小孔からなる係合部１１，１２，１３，１４を設けている。
【００１９】
スイッチ回路基板２０は可撓性を有する例えばポリエチレンテレフタレートフイルム（ＰＥＴフイルム）等の合成樹脂フイルム上に、中央の押圧スイッチ２１とこの押圧スイッチ２１を等間隔に囲む４つの押圧スイッチ２３とを設け、且つ前記取付板１０の各係合部１１，１２，１３，１４に対向する位置に貫通する４つの小孔からなる挿入部２５，２６，２７，２８を設けて構成されている。５つの押圧スイッチ２１，２３は、何れもスイッチ回路基板２０上に形成した図示しない一対のスイッチパターン上に弾性金属板をドーム形状に形成した反転板（可動接点板）２１Ａ，２３Ａを取り付け、その際反転板２１Ａ，２３Ａの外周辺が一方のスイッチパターンに当接し、反転板２１Ａ，２３Ａの中央下面が他方のスイッチパターン上に所定距離離間して配置されるように構成されている。
【００２０】
第１アース基板４０は可撓性を有するＰＥＴフイルム等の合成樹脂フイルムの上面（スイッチ回路基板２０に対向する面の裏面）の全面にこの合成樹脂フイルムを覆う金属箔からなるアースパターンを接着や蒸着等によって取り付けて構成されている。そして前記スイッチ回路基板２０の各挿入部２５，２６，２７，２８に対向する位置に貫通する４つの小孔からなる挿入部４１，４２，４３，４４を設け、また前記スイッチ回路基板２０の各反転板２１Ａ，２３Ａに対向する位置にも貫通する５つの孔からなる挿通部４５を設けて構成されている。各挿通部４５の内径は各反転板２１Ａ，２３Ａの外径よりも小さい。
【００２１】
固定部材１５０は合成樹脂製であり、略筒状に形成された基部１５１の外周側面の略１８０°対向する位置から一対のアーム部１７１，１８１を突出して構成されている。基部１５１の内部は下記する押圧スイッチ用キートップ５０を収納するキートップ収納部１５３となっており、キートップ収納部１５３の内側壁の略１８０°対向する位置の下部側の部分には上下に向かう凹状のガイド溝１５５，１５５が設けられている。基部１５１の外周のアーム部１７１とアーム部１８１の間の位置にはそれぞれ半径方向外側に向けて突出する舌片部１５７，１５７が設けられ、これら舌片部１５７の上面と前記両アーム部１７１，１８１の根元の上面からは小突起状の接続部１５９が突出している。また両アーム部１７１，１８１の根元の下面からは一対の突起状の係止部１６１（図２ではアーム部１７１側のもののみ示す）が突出している。また両アーム部１７１，１８１の先端部分には上下に円形に貫通する挿通孔１６３が設けられている。両係止部１６１は前記取付板１０の係合部１２，１３に対向する位置に設けられ、両挿通孔１６３は前記取付板１０の係合部１１，１４に対向する位置に設けられている。
【００２２】
揺動つまみ１９０は合成樹脂（例えばＡＢＳ樹脂）を略円板状に成形して構成されており、その中央に下記する押圧スイッチ用キートップ５０のキートップ本体１００を挿通する円形の上下に貫通する開口１９１を設け、その下面の４ヶ所（揺動つまみ１９０の開口１９１を中心として同一円周上の等間隔の位置）に略柱状の押圧部１９３を突設し、その外周下部から半径方向外側に向けてつば部１９７を突設している。各押圧部１９３の根元近傍部分の外周には１８０°対向する位置から外方に向けて突出する略平板状の固定部１９５が設けられている。
【００２３】
連結部材２１０は可撓性を有する合成樹脂フイルム（例えばＰＥＴフイルム）を略リング状に形成して構成されており、内側に向けて等間隔に４つの舌片状の固定部材取付用の舌片部２１１を突出し、また同様に各舌片部２１１の間に内側に向けて等間隔に４つの舌片状のつまみ取付用の舌片部２１３を突出し、これら舌片部２１１，２１３にそれぞれ上下に貫通する取付孔２１５，２１７を設けている。取付孔２１５は前記固定部材１５０の接続部１５９を挿入する形状に形成され、取付孔２１７は前記揺動つまみ１９０の固定部１９５を含む押圧部１９３を挿入する形状に形成されている。この揺動つまみ１９０の少なくとも上面には所望の装飾が施され、この実施形態ではスパッタによる蒸着膜が形成されている。
【００２４】
ケース２３０は合成樹脂製の板部材であり、その所定位置に筒状に上方向に突出してその下面側に電子部品収納部２３３を形成する突出部２３１を設けて構成されている。突出部２３１の上面中央には前記揺動つまみ１９０を露出する円形の開口２３５が設けられ、またケース２３０下面の前記固定部材１５０の一対の挿通孔１６３に対向する位置にはこれら挿通孔１６３に挿入される外径寸法の挿通突起２３７が突設されている。このケース２３０の少なくとも上面には所望の装飾が施され、この実施形態ではスパッタによる蒸着膜が形成されている。
【００２５】
照光機構付きの押圧スイッチ用キートップ５０は、図３に示すように、押圧板６０上に発光素子７７を取り付けてなる回路基板７０と、アース基板（以下「第２アース基板」という）８０と、アース板９０と、キートップ本体１００と、遮蔽部材１２０とを設置して構成されている。
【００２６】
押圧板６０は合成樹脂を略円板状に成形して構成されており、その下面中央には下方向に突出する柱状の押圧部６１が設けられ、またその外周の１８０°対向する位置に切り欠き状に凹む一対の取付部６３が設けられている。
【００２７】
回路基板７０は略円形の合成樹脂フイルム（例えばＰＥＴフイルム）上に所望の回路パターンを形成して構成されており、その中央にチップ状の発光素子７７を取り付け、この発光素子７７を透明な封止樹脂７９で覆って封止・固定している。発光素子７７には回路基板７０上に形成した図示しない回路パターンが接続されている。また回路基板７０の外径寸法は前記押圧板６０の外径寸法と略同一であり、その外周から帯状の引出部７１を引き出し、また押圧板６０の両取付部６３に対向する位置に一対の取付部７３を設けている。一方の取付部７３は切り欠き状であるが、他方の取付部７３は引出部７１中に位置するので貫通孔となっている。
【００２８】
第２アース基板８０は前記回路基板７０と略同一外形寸法形状（円形）であって、可撓性を有する例えばＰＥＴフイルム等の合成樹脂フイルムの上面（回路基板７０に対向する面の裏面）の全面にこの合成樹脂フイルムを覆う金属箔からなるアースパターンを接着や蒸着等によって取り付けて構成されている。そして前記回路基板７０の各取付部７３に対向する位置にこれらと同一形状の切り欠き及び貫通孔からなる一対の挿通部８３を設け、また前記封止樹脂７９に対向する位置に封止樹脂７９（即ち発光素子７７）を貫通する円形の開口８７を設け、また回路基板７０の引出部７１に対向する位置にこれと略同一形状の帯状の引出部８１を設けて構成されている。なおこの実施形態では図示はしないが、引出部７１は前記第１アース基板４０に連結され、両者は１枚の基板となっている。
【００２９】
アース板９０は金属板を略円形のリング状に形成した本体部９１の外周の１８０°対向する位置から舌片状の当接部９３を突出し、その根元部分で下方向に９０°折り曲げた後に反対方向に９０°折り曲げることによってその下面を当接面９５として構成されている。アース板９０の中央の開口９６は円形である。
【００３０】
キートップ本体１００は透光性を有する合成樹脂（例えばＰＭＭＡ樹脂）によって形成されており、略円筒状の側壁部１０１の上部を上面１０３で覆う形状に構成されている。側壁部１０１の下部外周の１８０°対向する位置からは半径方向外方に向けて舌片状のガイド突起１０５が突設されており、また上面１０３の中央には円形に凹む遮蔽部材収納部１０７が設けられている。上面１０３の遮蔽部材収納部１０７の底面には一対の円形の上面１０３を上下に貫通する開口部１０９が設けられている。また側壁部１０１の下端面の１８０°対向する位置からは一対の小突起状の取付固定部１１１（図３では手前側の一方のみ示す）が突設されている。両取付固定部１１１は前記押圧板６０の両取付部６３に対向する位置に設けられている。
【００３１】
遮蔽部材１２０は不透光性の合成樹脂（例えばＡＢＳ樹脂）を略円板状に成形して構成されており、その下面からは一対の円柱状の係止部１２１（図３では手前側の一方のみ示す）を突出している。各係止部１２１は前記キートップ本体１００の開口部１０９に対向する位置にこれら開口部１０９に挿入される外径寸法で設けられている。そしてこの遮蔽部材１２０の少なくとも上面には、スパッタによって金属の蒸着膜が形成されている。蒸着膜の材質としてこの実施形態ではアルミニウム（Ａｌ）を用いているが、錫（Ｓｎ）等、他の各種蒸着材料を用いても良い（他の部材に形成する蒸着膜についても同様）。この実施形態において遮蔽部材１２０としてＡＢＳ樹脂を用いたのは、蒸着膜の形成が容易だからである。なお前述のようにキートップ本体１００を構成するＰＭＭＡ樹脂表面への蒸着膜の形成は両者の相性から容易に行えない。
【００３２】
ここでまず押圧スイッチ用キートップ５０の組み立て方法を説明すると、まず前記キートップ本体１００の遮蔽部材収納部１０７内に遮蔽部材１２０を収納し、その際遮蔽部材１２０の一対の係止部１２１をそれぞれキートップ本体１００の開口部１０９に挿入し、係止部１２１の先端を熱カシメによって潰して両者を一体化する。次にキートップ本体１００の下面にアース板９０と第２アース基板８０と回路基板７０と押圧板６０を設置し、その際キートップ本体１００の一対の取付固定部１１１を第２アース基板８０の各挿通部８３と、回路基板７０の各取付部７３と、押圧板６０の各取付部６３に挿入し、その先端を押圧板６０の下面で熱カシメしてこれら各部材を一体化する。このときアース板９０の周囲の部分である両当接部９３は第２アース基板８０上面のアースパターンに当接し、当接したアース板９０と第２アース基板８０の上下がキートップ本体１００と押圧板６０との間に挟持される構造となる。またキートップ本体１００のガイド突起１０５の真下にアース板９０の当接部９３が一致して位置している。
【００３３】
次に固定部材１５０と揺動つまみ１９０間を連結部材２１０によって連結する。即ち連結部材２１０を固定部材１５０上に配置し、その際固定部材１５０の各接続部１５９を連結部材２１０の各取付孔２１５に挿入し、連結部材２１０の上面側に突出する各接続部１５９の部分を熱カシメして両者を一体に固定する。次に揺動つまみ１９０の下面に前記固定部材１５０を取り付けた連結部材２１０を配置し、その際連結部材２１０の各取付部２１７に揺動つまみ１９０の各押圧部１９３を挿入し、連結部材２１０の下面側に突出する各固定部１９５の部分を熱カシメして両者を一体に固定する。これによって揺動つまみ１９０は固定部材１５０に揺動自在に取り付けられる。
【００３４】
そして固定部材１５０と連結部材２１０を取り付けた揺動つまみ１９０をケース２３０の下面側から電子部品収納部２３３内に収納し、揺動つまみ１９０の上部を開口２３５から突出する。同時にケース２３０の下面から突出する各挿通突起２３７を固定部材１５０の各挿通孔１６３に挿入して貫通する。次に固定部材１５０の下面側からそのキートップ収納部１５３内に前記組み立てた押圧スイッチ用キートップ５０を挿入し、その際キートップ本体１００の一対のガイド突起１０５をキートップ収納部１５３内の一対のガイド溝１５５に上下動自在に挿入する。そして第１アース基板４０とスイッチ回路基板２０とを載置した取付板１０を、前記ケース２３０の下面に配置し、その際前記固定部材１５０の各挿通孔１６３を貫通した前記ケース２３０の各挿通突起２３７と、固定部材１５０の各係止部１６１とを、それぞれ第１アース基板４０の各挿入部４１，４２，４３，４４とスイッチ回路基板２０の各挿入部２５，２６，２７，２８と取付板１０の各係合部１１，１２，１３，１４に挿入し、取付板１０の下面に突出した前記ケース２３０の各挿通突起２３７の先端を熱カシメによって固定する。
【００３５】
これによって図１に示す照光型押圧式電子部品付き揺動式電子部品１が完成する。この照光型押圧式電子部品付き揺動式電子部品１における押圧スイッチ用キートップ５０の照光機構は図１に示すように、中央の押圧スイッチ２１上にこの押圧スイッチ２１を押圧する押圧板６０を設置すると共に、押圧板６０上に発光素子７７を取り付け、さらに発光素子７７の上部を覆う透光性を有するキートップ本体１００を取り付け、キートップ本体１００の上面中央に遮蔽部材１２０を取り付けることで構成されている。ここで遮蔽部材１２０のキートップ本体１００への取り付けは、キートップ本体１００の上面１０３に設けた上下に貫通する開口部１０９に遮蔽部材１２０に設けた係止部１２１を挿入して取り付けることによって行われている。また押圧板６０上の発光素子７７を囲む位置（具体的には発光素子７７を囲む周囲の上方の位置）には、キートップ本体１００内に侵入してくる静電気をアースするアース板９０が設置され、さらに具体的にアース機構は、アース板９０の他に、前記押圧板６０上の前記発光素子７７を囲む位置（具体的には発光素子７７を囲む周囲の略同一平面位置）に設置されその表面にアースパターンを設けたアース基板８０を具備して構成されている。またこの照光型押圧式電子部品付き揺動式電子部品１は、前記キートップ本体１００を挿通する開口１９１を有する揺動つまみ１９０を設置するとともに、揺動つまみ１９０を操作（揺動）することで電気的出力（オンオフ出力）を変化する電気的機能部（押圧部１９３と押圧スイッチ２３とで構成される）を設けることで中央の押圧スイッチ２１（又は押圧スイッチ２１に押圧スイッチ用キートップ５０を含めた照光型押圧式電子部品）の周囲に別の電子部品（揺動式電子部品）を設置して構成されている。
【００３６】
以上のように構成された照光型押圧式電子部品付き揺動式電子部品１において、押圧スイッチ用キートップ５０の上面（即ち遮蔽部材１２０の上面）を押圧すれば、押圧スイッチ用キートップ５０全体が下降し、押圧板６０に設けた押圧部６１が押圧スイッチ２１を押圧してその反転板２３Ａを反転してこれをオンする。前記押圧スイッチ用キートップ５０への押圧を解除すれば、反転板２３Ａは元の形状に自動復帰し、押圧スイッチ２１はオフする。一方揺動つまみ１９０は固定部材１５０に対して連結部材２１０を介して各方向に揺動自在に支持されているので、揺動つまみ１９０上面の所定部分を押圧すると、押圧した部分の真下の押圧部１９３がこれに対向する何れかの押圧スイッチ２３を押圧してその反転板２３Ａを反転してオンする。前記揺動つまみ１９０への押圧を解除すれば、反転板２３Ａは元の形状に自動復帰し、押圧スイッチ２３はオフする。
【００３７】
一方発光素子７７を発光すれば、その光はアース板９０に設けた開口９６を通してキートップ本体１００内に照射され、遮蔽部材１２０によって覆われていない遮蔽部材１２０の周囲のキートップ本体１００の上面１０３部分からその上方に向けて放射され、このキートップ本体１００をリング状に明るく照らし出す。
【００３８】
ところで押圧スイッチ用キートップ５０又は揺動つまみ１９０の上面に帯電した指等が接近又は接触した場合、その静電気は遮蔽部材１２０とキートップ本体１００の上面１０３の間及び係止部１２１と開口部１０９の間の僅かな隙間を通ってキートップ本体１００内部の発光素子７７が収納されている空間内に到達する。しかしながらこの静電気は、発光素子７７よりも上方に位置するアース板９０に放電され、アース基板８０のアースパターンを介して外部に導出されてアースされる。従って前記静電気が発光素子７７及びこれに接続している回路基板７０上の回路パターンに入射する恐れはない。なお揺動つまみ１９０の開口１９１とキートップ本体１００の間の隙間からキートップ本体１００の外周面に沿って回路基板７０の外周部分に入射しようとする静電気は、回路基板７０の外周上面に囲むように設置されているアース基板８０のアースパターンに直接入射し、従ってこの静電気も回路基板７０の回路パターンに入射することはない。また揺動つまみ１９０の開口１９１とキートップ本体１００の間の隙間や、ケース２３０の開口２３５と揺動つまみ１９０の間の隙間から侵入してスイッチ回路基板２０に向かう静電気は、スイッチ回路基板２０上を覆うアース基板４０のアースパターンによってアースされるので、スイッチ回路基板２０上の回路パターンにも静電気が入射することはない。
【００３９】
上記実施形態においてキートップ本体１００とは別部品としてその上面中央を覆う遮蔽部材１２０を取り付けたのは、前述のように透明なキートップ本体１００の材質（例えばＰＭＭＡ樹脂）に直接スパッタによる蒸着を行うことが材質の性質上うまく行えないからであり、このため蒸着が容易に行える材質（例えばＡＢＳ樹脂）の遮蔽部材１２０を別途取り付けたのである。そしてこの実施形態では遮蔽部材１２０のキートップ本体１００への取り付けを確実にするため、キートップ本体１００の上面１０３に設けた上下に貫通する開口部１０９に遮蔽部材１２０に設けた係止部１２１を挿入して取り付ける構造としている。このような構造とすることで開口部１０９の隙間から前述のように静電気が侵入する恐れが生じるが、この不都合を解消するためにアース機構を設けている。なお前記開口部１０９に隙間が生じないようにするには、二材成形、即ち遮蔽部材１２０を成形した金型の一部を変更して遮蔽部材１２０を内蔵する金型内にキートップ本体１００を成形する方法を用いれば良い。このように構成すれば、キートップ本体１００と遮蔽部材１２０の間はぴったり密着して隙間は生じず、両者の間から静電気が侵入することはない。しかしながら二材成形を用いると、二材成形を行ってキートップ本体１００と遮蔽部材１２０とを一体に成形した後に別途遮蔽部材１２０の表面のみにスパッタによる蒸着工程を行わなければならず、上記実施形態のように予め成形した単独の遮蔽部材１２０の表面にスパッタ蒸着を行ったものをキートップ本体１００に機械的に取り付ける工程に比べて全体の製造工程が煩雑になってしまう。また二材成形用に用いる金型は高価である。これらのことから上記実施形態では二材成形を用いず、遮蔽部材１２０をキートップ本体１００に機械的に取り付けることとし、その代りに開口部１０９の隙間からキートップ本体１００内に侵入してくる静電気をアース板９０等によって構成されるアース機構で除去するように構成したのである。なお上記実施形態ではキートップ本体１００に設けた開口部１０９に遮蔽部材１２０に設けた係止部１２１を熱カシメによって取り付ける取付構造を示したが、例えば係止部１２１に弾性を持たせると共にその先端に爪を設けてキートップ本体１００の開口部１０９内に挿入した係止部１２１の先端の爪を開口部１０９の下側の面に係止するいわゆるスナップイン係合による取付構造等、他の種々の取付構造を用いても良い。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態ではアース板９０のリング状の平板からなる本体部９１を、押圧板６０上の発光素子７７よりも所定寸法上方に設置して発光素子７７をリング状に囲むようにしているが、アース板９０の形状は種々の変形が可能であり、例えばリング状の平板からなる本体部９１の外周辺を下方向に筒状に伸ばして側壁部を設けてもよい。要はキートップ本体１００内に侵入してくる静電気を入射してアースする形状・構造のアース板９０であればよい。また上記実施形態においては、押圧スイッチ用キートップ５０を用いて構成される照光型押圧式電子部品の周囲に別の電子部品である揺動式電子部品を設置した照光型押圧式電子部品付き揺動式電子部品１を例に説明したが、揺動式電子部品の部分を省略して照光型押圧式電子部品を単独のものとして構成しても良い。また上記実施形態では遮蔽部材１２０の上面にスパッタによる蒸着膜を形成したが、他の製法による蒸着膜でもよく、また蒸着以外の各種塗布手段や印刷手段等による各種塗布膜や印刷膜等を形成してもよく、さらには蒸着膜等を設けず遮蔽部材１２０自体の材質の色彩をそのまま上面に露出しても良い。また他の電子部品は揺動式電子部品に限られず、回転式電子部品等、他の各種電子部品でも良い。回転式電子部品の場合、押圧スイッチ用キートップ５０の周囲に回動自在に操作つまみを設置し、また操作つまみの回動によってその電気的出力を変化する電気的機能部（例えば摺動子と摺接パターンからなる）を設置する。また上記実施形態では、遮蔽部材１２０を円形としたが、多角形状や十字形状等、他のどのような形状でも良い。要はキートップ本体の上面に取り付けられ、発光素子から発射される光によって遮蔽部材に覆われていないキートップ本体部分を照光することができる形状であればよい。
【図面の簡単な説明】
【００４１】
【図１】照光型押圧式電子部品付き揺動式電子部品１の概略断面図である。
【図２】照光型押圧式電子部品付き揺動式電子部品１の分解斜視図（その一部）である。
【図３】照光型押圧式電子部品付き揺動式電子部品１の分解斜視図（その一部）である。
【図４】照光型押圧式電子部品付き揺動式電子部品１の分解斜視図（その一部）である。
【符号の説明】
【００４２】
１  照光型押圧式電子部品付き揺動式電子部品
１０  取付板
２０  スイッチ回路基板
２１  押圧スイッチ
２３  押圧スイッチ
４０  第１アース基板
５０  押圧スイッチ用キートップ
６０  押圧板
６１  押圧部
７０  回路基板
７７  発光素子
８０  第２アース基板（アース機構）
９０  アース板（アース機構）
９３  当接部
１００  キートップ本体
１０３  上面
１０９  開口部
１２０  遮蔽部材
１２１  係止部
１５０  固定部材
１９０  揺動つまみ（操作つまみ）
１９１  開口
１９３  押圧部
２１０  連結部材
２３０  ケース
【図１】
2007141503.tif 000003
【図２】
2007141503.tif 000004
【図３】
2007141503.tif 000005
【図４】
2007141503.tif 000006